(57)【要約】【課題】屋根面に葺く瓦の枚数の算出やその割付が簡単であり、廃棄瓦を減らすことができるモジュール瓦を提供する。【解決手段】略菱形状の桟瓦１０の前部側辺部と頭部を通る横軸に平行な線とによって形成される角度と後部側辺部と尻部を通る横軸に平行な線とによって形成される角度とが、屋根の隅棟部の稜線と屋根流れ方向に直交する方向とによって形成される勾配屋根角度と等しくなるように設定されているとともに、前記桟瓦１０の利き幅が建物の長さモジュールの整数分の一に等しい長さとなるように設定され、前記桟瓦１０の利き足が前記利き幅に屋根勾配率を掛けた値となるように設定されたことを特徴とする桟瓦１０と、前記桟瓦１０の後部側形状を有する瓦本体よりなる軒瓦３０と、前記桟瓦１０の前部側形状を有する瓦本体よりなる陸棟際瓦４０と、前記桟瓦１０の左右の半部形状を有する瓦本体とりなる左右の半瓦５１とからなる。【選択図】        図３
2004316328.tif 000002
【特許請求の範囲】
【請求項１】
縦軸（ｖ）の先端側に頭部（１２）及び後端側に尻部（１３）を有し、前記縦軸と直交する横軸（ｈ）の両端側と前記頭部を結ぶ２つの前部側辺部（１５，１６）及び前記尻部とを結ぶ２つの後部側辺部（１７，１８）を有する略菱形状の瓦本体（１１）よりなり、前記瓦本体の頭部裏面の頭部側係合部（２１）は尻部表面の尻部側係合部（２２）と互いに係合する関係にある桟瓦であって、
前記前部側辺部と前記頭部を通る前記横軸に平行な線（ｈ１）とによって形成される角度（Ｂ１）と前記後部側辺部と前記尻部を通る前記横軸に平行な線（ｈ２）とによって形成される角度（Ｂ２）とが、屋根の隅棟部の稜線と屋根流れ方向に直交する方向とによって形成される勾配屋根角度（Ａ）と等しくなるように設定されているとともに、前記桟瓦の利き幅（Ｃ）が建物の長さモジュールの整数分の一に等しい長さとなるように設定され、前記桟瓦の利き足（Ｄ）が前記利き幅（Ｃ）に屋根勾配率を掛けた値となるように設定されたことを特徴とする桟瓦と、
前記桟瓦をその横軸方向に二等分したときの後部側形状を有する瓦本体よりなる軒瓦と、
前記桟瓦をその横軸方向に二等分したときの前部側形状を有する瓦本体よりなる陸棟際瓦と、
前記桟瓦をその縦軸方向に二等分のしたときの左右の半部形状を有する瓦本体とりなる左右の半瓦
とからなることを特徴とするモジュール瓦。
【発明の詳細な説明】
【０００１】
【発明の属する技術分野】
この発明は、瓦に関し、特には規格を一定化したモジュール瓦に関する。
【０００２】
【従来の技術】
屋根に瓦葺きされる瓦は、一般に平面視略正方形状の瓦本体の一部を側部方向に重ね合わせて連接され、かつ尻部側において頭部側を重ね合わせて縦方向に順次連接されている。
【０００３】
従来の瓦葺きにあっては、瓦の縦の長さ（利き足）と横の長さ（利き幅）が屋根勾配の角度や隅棟部の稜線の傾斜の程度等に関係なく一定の値であるのに対し、屋根の面積は屋根勾配の角度等によって異なるため、屋根に葺く瓦の枚数の算出及びその割付が非常に複雑なものとなっていた。特に、屋根の隅棟部においては、瓦の端の位置が一定になるとは限らないため、屋根面に瓦がきっちり葺設されるためには、隅棟瓦に隣接する瓦を切断して調節したり（例えば特許文献１）、隅棟部の稜線に沿って瓦の端を切断して調節する必要があった（例えば特許文献２）。
【０００４】
前述のような瓦の切断は、望まない方向に割れて失敗することも多く、素人には困難であり、専門の職人を必要としていた。また、屋根の面積に合わせて多数の瓦を切断することは廃棄瓦が増加するという問題もあった。
【０００５】
【特許文献１】
登録実用新案第２５７２９５５号公報（第１〜５頁）
【特許文献２】
特開２００２−７０２４５号公報（第１〜５頁）
【０００６】
【発明が解決しようとする課題】
この発明は、前記の点に鑑みなされたもので、屋根面に葺く瓦の枚数の算出やその割付が簡単であり、廃棄瓦を減らすことができるモジュール瓦を提供するものである。
【０００７】
【課題を解決するための手段】
すなわち、請求項１の発明は、縦軸（ｖ）の先端側に頭部（１２）及び後端側に尻部（１３）を有し、前記縦軸と直交する横軸（ｈ）の両端側と前記頭部を結ぶ２つの前部側辺部（１５，１６）及び前記尻部とを結ぶ２つの後部側辺部（１７，１８）を有する略菱形状の瓦本体（１１）よりなり、前記瓦本体の頭部裏面の頭部側係合部（２１）は尻部表面の尻部側係合部（２２）と互いに係合する関係にある桟瓦であって、前記前部側辺部と前記頭部を通る前記横軸に平行な線（ｈ１）とによって形成される角度（Ｂ１）と前記後部側辺部と前記尻部を通る前記横軸に平行な線（ｈ２）とによって形成される角度（Ｂ２）とが、屋根の隅棟部の稜線と屋根流れ方向に直交する方向とによって形成される勾配屋根角度（Ａ）と等しくなるように設定されているとともに、前記桟瓦の利き幅（Ｃ）が建物の長さモジュールの整数分の一に等しい長さとなるように設定され、前記桟瓦の利き足（Ｄ）が前記利き幅（Ｃ）に屋根勾配率を掛けた値となるように設定されたことを特徴とする桟瓦と、前記桟瓦をその横軸方向に二等分したときの後部側形状を有する瓦本体よりなる軒瓦と、前記桟瓦をその横軸方向に二等分したときの前部側形状を有する瓦本体よりなる陸棟際瓦と、前記桟瓦をその縦軸方向に二等分のしたときの左右の半部形状を有する瓦本体とりなる左右の半瓦とからなることを特徴とするモジュール瓦に係る。
【０００８】
【発明の実施の形態】
以下添付の図面に従ってこの発明を詳細に説明する。図１はこの発明の一実施例に係るモジュール瓦を屋根に葺いた状態を示す概略平面図、図２は桟瓦の一例を示す平面図、図３はこの発明のモジュール瓦を構成する各瓦の連接状態を示す概略平面図、図４は軒瓦の一例を示す平面図、図５は陸棟際瓦の一例を示す平面図、図６は右半瓦の一例を示す平面図、図７は左半瓦の一例を示す平面図である。
【０００９】
図１はこの発明の瓦を屋根に葺いた状態を示したものである。図１の平面図に示すように、平面部６２、隅棟部６３を有する屋根６０において、屋根面６１を構成する野地板等の下地材にルーフィングが敷かれ、当該ルーフィングの上に桟瓦１０、軒瓦３０、陸棟際瓦４０、半瓦５０，５１が葺設されている。屋根６０の平面部６２においては桟瓦１０が連続的に葺設され、隅棟部６３においては隅棟部６３に至った桟瓦１０の端が当該隅棟部６３の稜線６４に沿うように構成されている。また、軒先付近においては、軒瓦３０が軒先６５に沿って並設されている。さらに、陸壁付近においては、陸棟際瓦４０が陸壁６６に沿って並設されている。図から理解されるように、桟瓦１０、軒瓦３０、陸棟際瓦４０、半瓦５０，５１の瓦群よりなる本発明のモジュール瓦は、葺き上がりが屋根面６１にきっちり収まるように構成されている。
【００１０】
前記桟瓦１０は、図２の平面図に示すように、略菱形状の瓦本体１１よりなり、縦軸ｖの先端側に頭部１２を有し、前記縦軸ｖの後端側に尻部１３を有しており、前記縦軸ｖと直交する横軸ｈの両端側と前記頭部１２を結ぶ２つの前部側辺部１５，１６及び前記尻部１３とを結ぶ２つの後部側辺部１７，１８を有している。この桟瓦１０は、屋根面６１に対して頭部１２が水下側に、尻部１３が水上側に位置するように葺設され、縦軸ｖが屋根流れ方向Ｐに平行な方向に、横軸ｈが屋根流れ方向Ｐに直交する方向に位置するようになっている。そして、前記瓦本体１１の頭部１２裏面の頭部側係合部２１は尻部１３表面の尻部側係合部２２と互いに係合する関係にある。すなわち、この桟瓦１０は、図３に示すように、桟瓦１０を屋根面６１に葺設したときに、桟瓦１０の２つの頭部側係合部２１のうちの右側の頭部側係合部２１が、当該桟瓦１０の右下に位置する桟瓦１０の２つの尻部側係合部２２のうちの左側の尻部側係合部２２の上に被さるようにして連接している。同様に、左側に位置する頭部側係合部２１は、当該頭部側係合部２１を有する桟瓦１０の左下に位置する桟瓦１０の尻部側係合部２２（２つの尻部側係合部２２のうちの右側に位置する尻部側係合部２２）と係合する。図において、符号１９は前記桟瓦１０の尻部側係合部２２に設けられた釘打ち穴であり、この釘打ち穴１９に釘が打ち込まれることによって前記桟瓦１０は屋根面６１の下地材に固定される。
【００１１】
また、前記桟瓦１０は、前記前部側辺部１５，１６と前記頭部１２を通る前記横軸ｈに平行な線ｈ１とによって形成される角度Ｂ１と前記後部側辺部１７，１８と前記尻部１３を通る前記横軸ｈに平行な線ｈ２とによって形成される角度Ｂ２とが、図１に図示する屋根６０の隅棟部６３の稜線６４と屋根流れ方向Ｐに直交する方向とによって形成される勾配屋根角度Ａと等しくなるように設定されている。したがって、桟瓦１０の前部側辺部１５，１６及び後部側辺部１７，１８が隅棟部６３の稜線６４と平行の関係になり、図１からも理解されるように桟瓦１０は切断されることなく稜線６４に沿って葺設される。
【００１２】
前記桟瓦１０の利き幅Ｃは、建物の長さモジュールの整数分の一に等しい長さとなるように設定される。モジュールとは、建物を建てるときに基準となる単位寸法のことで、メーターモジュール、尺モジュール等がある。この実施例では、メーターモジュールを採用しており、メーターモジュールの場合は１メートルを基準の寸法としている。ここでいう長さモジュールとはこの建物の屋根面６１の長さ方向（屋根流れ方向に直交する方向）に対する単位寸法である。したがって、桟瓦１０を屋根面６１に葺設したときに、桟瓦整数個分の利き幅Ｃの合計がちょうど建物の長さモジュール（単位寸法）に一致する。建物はモジュールを基準として設計されるため、図１に示すように、屋根面６１には当該屋根面６１の長さ方向に対して桟瓦１０がきっちり収まるように葺設される。実施例の桟瓦１０の利き幅は１メートルの１／４である２５０ｍｍである。
【００１３】
さらに、前記桟瓦１０の利き足Ｄが前記利き幅Ｃに屋根勾配率を掛けた値となるように設定されている。屋根勾配率とは、ｃｏｓ−１θ（θは屋根勾配の角度）である。例えば、屋根勾配が５寸である場合には、ｃｏｓ−１θ＝１１．１８／１０となり、この実施例の桟瓦の利き足Ｄは、利き幅２５０ｍｍに屋根勾配率１．１１８を掛けた値となる。すなわち、利き足Ｄ＝２５０ｍｍ×１．１１８＝２７９．５ｍｍとなる。
【００１４】
軒瓦３０は、下端部３２が屋根面６１の軒先６５に沿うようにして屋根面６１に並設されるもので、図４に示すように、前記桟瓦１０をその横軸ｈ方向に二等分したときの後部側形状を有する略三角形状の瓦本体３１よりなる。図において、前出と同一符号は同一の構成を表す。したがって、この軒瓦３０の後部側辺部１７，１８と尻部１３を通る横軸ｈに平行な線ｈ２とによって形成される角度も前記桟瓦１０の後部側辺部１７，１８と尻部１３を通る横軸ｈに平行な線ｈ２とによって形成される角度Ｂ２と等しくなる。この軒瓦３０の利き幅は前記桟瓦１０の利き幅Ｃと等しい長さであり、利き足は瓦の出、軒の出によってある程度調整が可能とされている。
【００１５】
前記陸棟際瓦４０は、上端部４２が屋根面６１の陸壁６６に沿うようにして屋根面６１に並設されるもので、図５に示すように、前記桟瓦１０をその横軸ｈ方向に二等分したときの前部側形状を有する瓦本体４１よりなる。図において、前出と同一符号は同一の構成を表す。したがって、この軒瓦４０の前部側辺部１５，１６と頭部１２を通る横軸ｈに平行な線ｈ１とによって形成される角度も前記桟瓦１０の前部側辺部１５，１６と頭部１２を通る横軸ｈに平行な線ｈ１とによって形成される角度Ｂ１と等しくなる。陸棟際瓦４０の利き幅は前記桟瓦の利き幅Ｃと等しい長さであり、利き足は桟瓦の利き足Ｄの１／２の長さとなっている。
【００１６】
半瓦５０，５１は、屋根流れ方向Ｐに平行な直線に沿って葺くときに使用されるもので、図６及び図７に示すように、前記桟瓦１０をその縦軸方向ｖに二等分のしたときの右側の半部形状を有する瓦本体５２よりなるもの（図６に図示）と、左側の半部形状を有する瓦本体５３よりなるもの（図７に図示）がある。図において、前出と同一符号は同一の構成を表す。したがって、図６の右側の半部形状を有する瓦本体５２よりなる半瓦５０の前部側辺部１５と頭部１２を通る横軸ｈに平行な線ｈ１とによって形成される角度と、後部側辺部１７と尻部１３を通る横軸ｈに平行な線ｈ２とによって形成される角度は、ともに、前記桟瓦１０の前部側辺部１５と頭部１２を通る横軸ｈに平行な線ｈ１とによって形成される角度Ｂ１及び後部側辺部１７と尻部１３を通る横軸ｈに平行な線ｈ２とによって形成される角度Ｂ２と等しくなる。同様に、図７の左側の半部形状を有する瓦本体５３よりなる半瓦５１の前部側辺部１６と頭部１２を通る横軸ｈに平行な線ｈ１とによって形成される角度と、後部側辺部１８と尻部１３を通る横軸ｈに平行な線ｈ２とによって形成される角度は、ともに、前記桟瓦１０の前部側辺部１６と頭部１２を通る横軸ｈに平行な線ｈ１とによって形成される角度Ｂ１及び後部側辺部１８と尻部１３を通る横軸ｈに平行な線ｈ２とによって形成される角度Ｂ２と等しくなる。左右の各半瓦５０，５１の利き幅は前記桟瓦１０の利き幅Ｃの１／２の長さであり、利き足は桟瓦１０の利き足Ｄと等しい長さである。
【００１７】
これらの軒瓦３０、陸棟際瓦４０、左右の半瓦５０，５１は、前記桟瓦１０を切断して成る瓦本体より作製され、桟瓦１０と同一構成部分を有するものであるから、桟瓦１０と同一構成の部分は前述した桟瓦１０の連接方法と同様の方法で連接する。図３に示すように、軒瓦３０はその下端部３２が軒先６５に沿うように葺設されるとともに当該軒瓦３０の右上及び左上に位置する桟瓦１０あるいは半瓦５１（図においては左半瓦）と連接し、陸棟際瓦４０はその上端部４２が陸壁６６に沿うように葺設されるとともに当該陸棟際瓦４０の右下及び左下に位置する桟瓦１０あるいは半瓦５１と連接する。また、半瓦５１は当該半瓦５１の左上に位置する桟瓦１０あるいは陸棟際瓦４０と連接し、左下に位置する桟瓦１０あるいは軒瓦３０と連接する。このように、予めモジュール設計された桟瓦１０、及び当該桟瓦１０に基づいて作製した軒瓦３０、陸棟際瓦４０、半瓦５０，５１からなるモジュール瓦は、各瓦がモジュール設計に基づいた同一構成部分を有し、かつ同一方法で連接されるため、このモジュール瓦による瓦葺きにあっては、屋根面６１の面積の変化に容易に対応することが可能であり、瓦の枚数の算出及びその割付が非常に簡単である。
【００１８】
【発明の効果】
以上図示し説明したように、この発明のモジュール瓦にあっては、桟瓦の前部側辺部と頭部を通る横軸に平行な線とによって形成される角度Ｂ１と後部側辺部と尻部を通る前記横軸に平行な線とによって形成される角度Ｂ２とが、屋根の隅棟部の稜線と屋根流れ方向に直交する方向とによって形成される勾配屋根角度Ａと等しくなるように設定されているとともに、桟瓦の利き幅Ｃが建物の長さモジュールの整数分の一に等しい長さとなるように設定され、桟瓦の利き足Ｄが前記利き幅Ｃに屋根勾配率を掛けた値となるように設定されており、軒瓦、陸棟際瓦、半瓦はこの桟瓦を切断して成る瓦本体に基づいて作製されたものであるから、屋根流れ方向及び当該屋根流れ方向に直交する方向に対して当該モジュール瓦を整数個葺設することができ、施工現場において屋根面に合わせて瓦を切断する必要がなく、瓦の枚数の算出及び瓦の割付が非常に簡単であるとともに、瓦を切断することによって生じる廃棄瓦を減少させることができる。
【００１９】
さらに、この発明のモジュール瓦は、瓦の釘打ち穴の位置が従来の平面視略正方形状の瓦の釘打ち穴に比較して瓦の中心に近い位置にあるため、屋根面に対する瓦の固定が強固なものとなり、暴風に対して強く飛びにくいという利点もある。
【図面の簡単な説明】
【図１】この発明の一実施例に係る瓦を屋根に葺いた状態を示す概略平面図である。
【図２】桟瓦の一例を示す平面図である。
【図３】この発明のモジュール瓦を構成する各瓦の連接状態を示す概略平面図である。
【図４】軒瓦の一例を示す平面図である。
【図５】陸棟際瓦の一例を示す平面図である。
【図６】右半瓦の一例を示す平面図である。
【図７】左半瓦の一例を示す平面図である。
【符号の説明】
１０  桟瓦
１１  瓦本体
１２  頭部
１３  尻部
１５，１６  前部側辺部
１７，１８  後部側辺部
２１  頭部側係合部
２２  尻部側係合部
３０  軒瓦
４０  陸棟際瓦
５０，５１  半瓦
６０  屋根
６３  隅棟部
６４  稜線
Ｐ  屋根流れ方向
【図１】
2004316328.tif 000003
【図２】
2004316328.tif 000004
【図３】
2004316328.tif 000005
【図４】
2004316328.tif 000006
【図５】
2004316328.tif 000007
【図６】
2004316328.tif 000008
【図７】
2004316328.tif 000009